(57)【要約】  電動搾乳器（１）であって、乳房を少なくとも部分的に受容する搾乳漏斗（３）を備えた搾乳口（２）、モータ（８）と好適にはエネルギ蓄え器（１０）とを備えたポンプ装置（７）および吸引した乳汁を収容する乳汁容器（５）を備えた乳汁蓄えユニット（４）を有する、電動搾乳器（１）において、表面（１２）上に当該電動搾乳器（１）が自立した状態で、前記搾乳口（２）および前記ポンプ装置（７）は実質的に、仮想の一般的な真っ直ぐな筒の内部に位置しており、該筒の基底面は、前記表面（１２）に対して平行な前記乳汁蓄えユニット（４）の最大横断面の２．５倍、好適には２．０倍、特に好適には１．８倍だけ広げられた面に相当しており、前記基底面の面中心点は、前記最大横断面の面の面中心点と同一であり、前記仮想の一般的な真っ直ぐな筒の高さは両方向に無限である。
2021530297.tif 000002
【特許請求の範囲】
【請求項１】
電動搾乳器（１）であって、乳房を少なくとも部分的に受容する搾乳漏斗（３）を備えた搾乳口（２）、モータ（８）と好適にはエネルギ蓄え器（１０）とを備えたポンプ装置（７）および吸引した乳汁を収容する乳汁容器（５）を備えた乳汁蓄えユニット（４）を有する、電動搾乳器（１）において、
表面（１２）上に当該電動搾乳器（１）が自立した状態で、前記搾乳口（２）および前記ポンプ装置（７）は実質的に、仮想の一般的な真っ直ぐな筒の内側に位置しており、該筒の基底面は、前記表面（１２）に対して平行な前記乳汁蓄えユニット（４）の最大横断面の２．５倍、好適には２．０倍、特に好適には１．８倍だけ広げられた面に相当しており、前記基底面の面中心点は、前記最大横断面の面の面中心点と同一であり、前記仮想の一般的な真っ直ぐな筒の高さは両方向に無限であることを特徴とする、電動搾乳器（１）。
【請求項２】
当該電動搾乳器（１）は、実質的に当該搾乳器（１）の全ての構成部材を取り囲むケーシング（１３）を有しており、前記搾乳漏斗（３）が前記ケーシング（１３）に開口を形成している、請求項１記載の電動搾乳器（１）。
【請求項３】
前記ケーシング（１３）は、実質的に楕円形の基底面を備える一般的な筒または円錐台の周面の形状を実質的に有する保持部分（２０）を有しており、好適には、
前記筒もしくは円錐台の外側の高さ輪郭線（ｈ）は、前記搾乳漏斗（３）の周（１５）により画定された平面（ｂ）と共に３０°未満、好適には１５°未満の角度を形成しており、特に好適には前記平面（ｂ）に対して実質的に平行でありかつ／または
前記搾乳漏斗の前記周の中心点は、基底面が前記一般的な筒または円錐台の２．５倍、好適には２．０倍、特に好適には１．５倍、さらに好適には１．０倍、最も好適には０．８倍だけ広げられた基底面に相当し、周面に前記保持部分の形状が相当する、無限の高さを有する仮想の一般的な筒または円錐台の内側に位置している、請求項２記載の電動搾乳器（１）。
【請求項４】
前記ケーシング（１３）は、前記搾乳漏斗（３）を除いて、実質的に面一に形成されている、請求項２または３記載の電動搾乳器（１）。
【請求項５】
当該電動搾乳器（１）と、好適には前記ケーシング（１３）とは、前記乳汁蓄えユニット（４）が当該電動搾乳器（１）から取外し可能であるように形成されている、請求項１から４までのいずれか１項記載の電動搾乳器（１）。
【請求項６】
当該電動搾乳器（１）、好適には前記ケーシング（１３）、特に前記乳汁蓄えユニット（４）は、好適には実質的に平らな自立面（１４）を有しており、該自立面（１４）において当該電動搾乳器（１）は自立状態で自立することができるようになっている、請求項１から５までのいずれか１項記載の電動搾乳器（１）。
【請求項７】
前記ポンプ装置（７）は、実質的に前記搾乳口（２）と前記乳汁蓄えユニット（４）との間に配置されている、請求項１から６までのいずれか１項記載の電動搾乳器（１）。
【請求項８】
前記ポンプ装置（７）、特に前記モータ（８）および／または前記エネルギ蓄え器（１０）は、前記自立状態では実質的に、前記表面（１２）に対して平行でありかつ前記表面（１２）からの高さが該表面（１２）に対して平行な前記乳汁蓄えユニット（４）の最大延在長さの３．０倍、好適には２．５倍、特に好適には２．０倍に相当する平面の下側に配置されている、請求項１から７までのいずれか１項記載の電動搾乳器（１）。
【請求項９】
前記搾乳口（２）は、前記搾乳漏斗を好適には取外し可能に前記乳汁容器（５）に接続するチューブ部分（６）を有しており、好適には該チューブ部分（６）は、前記搾乳漏斗（３）と固く接続されているか、または前記搾乳漏斗（３）と一体に形成されている、請求項１から８までのいずれか１項記載の電動搾乳器（１）。
【請求項１０】
前記ポンプ装置（７）は、前記チューブ部分（６）内に負圧を生ぜしめることに適した真空ポンプ（１６）を有しており、好適には前記チューブ部分（６）は、前記乳汁容器（５）の方向において前記真空ポンプ（１６）の開始点の下流側に弁、好適にはダックビル弁（１９）を有している、請求項８記載の電動搾乳器（１）。
【請求項１１】
前記ポンプ装置（７）は、蠕動ポンプ（９）を有しており、好適には該蠕動ポンプ（９）は、前記チューブ部分（６）に対して機械的に作用することによりポンプ機能を果たすようになっている、請求項１から１０までのいずれか１項記載の電動搾乳器（１）。
【請求項１２】
前記ポンプ装置（７）は、前記乳汁容器（５）内に負圧を生ぜしめることに適した真空ポンプ（１６）を有している、請求項１から１１までのいずれか１項記載の電動搾乳器（１）。
【請求項１３】
前記ポンプ装置（７）は、好適にはフレキシブルなダイヤフラム（１８）を介して前記搾乳漏斗（３）または前記チューブ部分（６）または前記乳汁容器（５）に圧力接続された閉鎖空間（１７）と接続されており、これにより、該閉鎖空間（１７）内に負圧を周期的に発生させることで、前記搾乳漏斗（３）もしくは前記チューブ部分（６）内に負圧を周期的に発生させることができるようになっている、請求項１から１２までのいずれか１項記載の電動搾乳器（１）。
【請求項１４】
前記搾乳口（２）および好適には
−前記ケーシング（１３）の、前記搾乳口（２）および／または前記チューブ部分（６）または前記チューブ部分（６）の一部および／または前記乳汁容器（５）を包囲する部分および／または
−前記乳汁蓄えユニット（４）および／または
−前記乳汁容器（５）および／または
−前記チューブ部分（６）または該チューブ部分（６）の一部
は、透明な材料を有しており、これにより特に、乳汁の流れが当該電動搾乳器（１）のユーザに見えるようになっておりかつ／または
当該電動搾乳器（１）は、前記搾乳口（２）を照明するために光源を有しておりかつ／または
前記ポンプ装置（７）は、制御回路（１１）と、好適にはユーザが前記ポンプ装置（７）を操作することができるようにユーザインタフェースとを有しておりかつ／または
前記エネルギ蓄え器（１０）は、リチウムイオン電池を有しておりかつ／または
前記ポンプ装置（７）は水密に収納されており、好適には前記ケーシング（１３）が水密でありかつ／または
前記乳汁容器（５）は、フレキシブルな保存袋として形成されておりかつ／または
前記乳汁蓄えユニット（４）は、好適には前記フレキシブルな保存袋が収容されている固い剛性のカバーを有しておりかつ／または
前記乳汁蓄えユニット（４）の前記乳汁容器（５）として、哺乳瓶の瓶本体が設けられている、
請求項１から１３までのいずれか１項記載の電動搾乳器（１）。
【請求項１５】
前記搾乳漏斗（３）の前記周（１５）は、実質的に１つの平面内に位置しており、前記表面（１２）上での当該電動搾乳器（１）の自立位置において前記平面は、前記搾乳漏斗が位置する側において前記表面（１２）と共に、６０°〜１１０°、特に好適には７５°〜１０５°の角度を形成している、請求項１から１４までのいずれか１項記載の電動搾乳器（１）。
【発明の詳細な説明】
【技術分野】
【０００１】
保護対象は、電動搾乳器であって、乳房を少なくとも部分的に受容する搾乳漏斗を備えた搾乳口、モータと好適にはエネルギ蓄え器とを備えたポンプ装置および吸引した乳汁を収容する乳汁容器を備えた乳汁蓄えユニットを有する、電動搾乳器に関する。
【０００２】
多くの電動搾乳器が従来技術において周知である。この場合、ポンプユニットもしくはポンプユニットのモータは、電動搾乳器自体または別個の装置の内部に収納されていてよい。
【０００３】
例えば米国特許出願公開第２００７００６０８７３号明細書に記載の搾乳器は、瓶、瓶の開口に取り付けられており、トランペット状に広がった搾乳カップを有する搾乳器ヘッド、および搾乳カップ内に負圧を生ぜしめるために搾乳器ヘッドに取り付けられた負圧発生ユニットを有している。この場合、搾乳器は台脚により直立して保持される。さらに、乳汁の流れに対する視界が、この実施形態では上部に取り付けられる吐出装置により、大幅に制限される。
【０００４】
つまり目下周知の電動搾乳器は、モータもしくはポンプユニットが残りの搾乳器と１つに統合されている場合も、これらが別体である場合も、複数の欠点を有している。例えば目下従来技術で使用可能な搾乳器の場合には、搾乳器に追加的な台脚を取り付けることが必要であり、これにより、搾乳器は安定して自立することができる。さらにこれらの搾乳器は、外部のチューブもしくはケーブルを必要とする。その上これらの搾乳器は、吸引した乳汁の流れに対してせいぜい大幅に制限された視界を可能にするだけに過ぎない。さらに搾乳漏斗の照明が、満足のいくように可能ではない。さらに従来の搾乳器は極めて場所をとり、このことは保管、運搬および使用にネガティブな影響を及ぼす。従来技術の電動搾乳器の１つの別の重大な欠点は、これらの電動搾乳器では作動中、搾乳時に授乳に類似した（ハンド）ホールドが、特に搾乳漏斗の形状、搾乳器の保持部分に対する漏斗の角度および間隔ならびに従来技術の電動搾乳器の他の特性に基づき不可能である、という点にある。調査により、搾乳器が搾乳時に、乳児への授乳時と類似した（ハンド）ホールドで保持され得ると、母親および助産師により利点と見なされるであろう、ということが判った。授乳時と類似した（ハンド）ホールドは、本能的に適切、快適かつ厳かであると感じられると考えられると共に、特に乳汁の流れに必要とされるオキシトシンが高確率／高強度で出されるとも考えられるため、乳汁の吸引をより快適かつより効率的にすると考えられる−しかしこのことは、従来技術の電動搾乳器によっては全くまたは極限定的にしか達成されない。本保護対象の１つの目的は、これらの欠点のうちの少なくとも１つを解消するかまたは低減させることにある。
【０００５】
このことは、冒頭に記載したような電動搾乳器によって達成され、この場合、表面上に電動搾乳器が自立した状態で、搾乳口およびポンプ装置は実質的に、仮想の一般的な真っ直ぐな筒の内側に位置しており、筒の基底面は、表面に対して平行な乳汁蓄えユニットの最大横断面の２．５倍、好適には２倍、特に好適には１．８倍だけ広げられた面に相当しており、この場合、基底面の面中心点は、前記最大横断面の面の面中心点と同一であり、筒の高さは両方向に無限である。これにより特に、搾乳器の各部分が搾乳器の重心から極度に大きくは張り出さないまたは搾乳器が自立している面を越えては張り出さない、ということが達成される。さらにこれにより、ポンプユニットはモータと共にこの筒の内部に設けられており、外部のケーブル／チューブの使用が回避される。その上これにより、搾乳するために電動搾乳器を作動させたときに、授乳に類似した（ハンド）ホールドの可能性が可能になる。それというのも、このためには特に搾乳漏斗が極度に大きく張り出していてはならず、さもないと、授乳に類似した自然な（ハンド）ホールドはもはや不可能だからである。
【０００６】
本来の面の面中心点とイメージ面の面中心点とが同一である場合、広がりとは、本来の面（ひいてはイメージ面）の面中心点を中心としかつ指定された係数を広がり係数とする中心距離を意味する。ポンプ装置は、特に乳房から乳汁を吸引するためのポンプを有している。乳汁蓄えユニットは、特に電動搾乳器の、乳汁容器を含みこれを（その最大充填状態において）実質的に直接に取り囲む部分を成している。
【０００７】
１つの好適な実施形態では、電動搾乳器は、実質的に搾乳器の全ての構成部材を取り囲むケーシングを有しており、この場合、搾乳漏斗がケーシングに開口を形成している。好適にはケーシング全体も、上述した仮想の一般的な真っ直ぐな筒内に位置している。
【０００８】
ケーシングが、実質的に楕円形の基底面を備える一般的な筒または円錐台の周面の形状を実質的に有する保持部分を有していると有利であり、この場合、好適には筒もしくは円錐台の外側の高さ輪郭線は、搾乳漏斗の周により画定された平面に対して３０°〜−３０°、好適には−１５°〜１５°の角度を有しており、特に好適には前記平面に対して実質的に平行である。この場合、円錐台の高さ輪郭線は特に、搾乳漏斗とは反対の側の円錐台の母線、特に円錐台の周面の、搾乳漏斗の周から最も離れた母線により画定されている。同様に好適には、搾乳漏斗の周の中心点は、基底面が、この段落内で上述した一般的な筒または円錐台の２．５倍、好適には２．０倍、特に好適には１．５倍、さらに好適には１．０倍、最も好適には０．８倍だけ広げられた基底面に相当し、周面に保持部分の形状が相当する、無限の長手方向延在長さを有する仮想の一般的な筒または円錐台の内側に位置している。この「丸い」保持部分により、特に搾乳漏斗に対する相応の角度と、搾乳漏斗の小さな張出しもしくはそれどころか内側への変位とを組み合わせることにより、特に搾乳時の搾乳ポンプの特に自然な（ハンド）ホールドが達成され得る。
【０００９】
有利には、ケーシングは搾乳漏斗を除いて、実質的に面一に形成されている。搾乳漏斗を除いてとは、ケーシングは搾乳漏斗の周により形成される開口において閉じられていると見なされる、ということを意味する。面一とは、電動搾乳器もしくは電動搾乳器のポンプユニットを有する本体から部品が一切突出していないことを意味する。これにより例えば、電動搾乳器の洗浄を大幅に簡単にすることができる。搾乳器の安定性にとっても、面一の外観は有効である。それというのも、低荷重下で既に破損する恐れのある部品が一切突出していないからである。さらにこれによりやはり、搾乳器の可能な限り自然な（ハンド）ホールドも可能になる。特に上述した「丸い」保持部分との組み合わせにおいても、授乳時に乳児および乳児の頭を支えることに類似した人間工学およびハンドホールドが達成され得る。
【００１０】
電動搾乳器と、好適にはケーシングとは、乳汁蓄えユニットが電動搾乳器から取外し可能であるように形成されていると有利である。このことは、乳汁容器を空にすることもしくは吸引した乳汁の使用を容易にする。さらに洗浄が簡単になる。
【００１１】
乳汁蓄えユニットは、自立状態において電動搾乳器の最下部を形成していてよい。
【００１２】
電動搾乳器の１つの好適な実施形態では、電動搾乳器、特に乳汁蓄えユニットもしくは好適には搾乳器のケーシング、特にケーシングの、乳汁蓄えユニットのカバーを形成する部分は、好適には実質的に平らな自立面を有しており、電動搾乳器は自立状態において、自立面で自立可能である。つまり自立面は、特にケーシングまたは乳汁蓄えユニットにより形成されていてよい。つまり好適には、搾乳器は例えば台脚等の外部支援無しで、自立面で傾くことなく自立することができる。
【００１３】
特に搾乳器が表面上に自立した状態において表面に対して垂直な方向に関して、ポンプ装置が実質的に搾乳口と乳汁蓄えユニットとの間に配置されていると有利である。この場合、搾乳器の自立状態で、好適には搾乳口は、実質的に乳汁蓄えユニットよりも高位に配置されている。ポンプ装置は、搾乳器が表面上に自立した状態で、表面に対して垂直な方向に関して好適には搾乳口の最上点と、乳汁蓄えユニットの最下点との間、より好適には搾乳漏斗の中心点と、乳汁容器または乳汁蓄えユニットの最上点との間に配置されている。これにより、搾乳器内でのポンプユニットの特に省スペース式の配置が達成され、これにより搾乳器の大きさおよび特に高さが減少され得る。さらにこれにより、ポンプユニットが搾乳口および乳汁蓄えユニットの上側に配置された搾乳器に比べて重心が下方に移動させられるため、自立安定性が改良されることになる。
【００１４】
１つの好適な実施形態では、ポンプ装置、特にモータおよび／または蓄えユニットは、自立状態では実質的に、表面に対して平行でありかつ表面からの高さが表面に対して平行な乳汁蓄えユニットの最大延在長さの３．０倍、好適には２．５倍、特に好適には２．０倍に相当する平面の下側に配置されている。これにより、搾乳器の安定性が、下げられた重心に基づき大幅に向上されることになる。
【００１５】
搾乳口が、搾乳漏斗を好適には取外し可能に乳汁容器に接続するチューブ部分を有していると有利である。チューブ部分は、吸引された乳汁を乳汁容器へ案内する。チューブ部分が乳汁容器に取外し可能に接続されている場合には、例えば接続が解除されると、有利には今までチューブ部分と接続されていた乳汁容器の開口を介して乳汁容器を空にすることができる。
【００１６】
１つの好適な実施形態では、チューブ部分は、搾乳漏斗と固く接続されているか、または搾乳漏斗と一体に形成されている。これによりシステムのシールが改良され、特に一体形成の場合には製造が簡略化されると共に、省スペース式の配置が可能になる。
【００１７】
搾乳口は、電動搾乳器から取外し可能であってよい。電動搾乳器もしくは電動搾乳器のケーシングは、フラップを有していてよい。フラップにより、搾乳口と残りの搾乳器との正しい取付けもしくは接続および場合によりチューブ部分と乳汁容器との正しい取付けもしくは接続が簡単になる。
【００１８】
１つの有利な実施形態では、ポンプ装置は、チューブ部分内に負圧を生ぜしめることに適した真空ポンプを有しており、この場合、好適にはチューブ部分は乳汁容器の方向において真空ポンプの開始点の下流側に弁、好適にはダックビル弁を有している。つまり、チューブ部分を含む搾乳口内には負圧が形成される。よって、吸引時には乳汁がダックビル弁上に集まり、十分な量の乳汁が集められるかもしくはチューブ部分内の負圧が一時的に低下させられると直ちに、乳汁は乳汁容器内へ流れ落ちる。この場合、三方接続手段が設けられていてよく、例えば真空ポンプがこの接続手段の１つの接続部に固く接続されている一方で、チューブ部分と乳汁容器とは、この接続手段の各１つの接続部に取外し可能に接続されている。
【００１９】
１つの好適な実施形態では、ポンプ装置は蠕動ポンプ（すなわちチューブポンプ）を有しており、この場合、好適には蠕動ポンプは、チューブ部分に対して機械的に作用することによりポンプ機能を果たすようになっている。蠕動ポンプを使用する１つの利点は、蠕動ポンプは連続運転時に自動的に断続的なポンプ機能を有しており、これにより自動的に、すなわちポンプを別個に制御する必要無しに、ポンプ特性が乳児の自然な吸引に近似している、という点にある。さらにこの実施形態は、ポンプ装置が実質的に搾乳漏斗と乳汁容器との間に配置されており、この場合、チューブ部分が搾乳漏斗と乳汁容器との間に延在していると有利である。それというのも、ポンプは特に省スペース式に（部分的に）搾乳漏斗の湾曲部に配置されていてよく、湾曲部のチューブ部分に作用することができるからである。好適には、蠕動ポンプのローラまたはスライドシューが、チューブ部分に作用する。有利には、チューブ部分は、特にポンピングに必要な圧搾を保証するために、蠕動ポンプもしくは蠕動ポンプのローラ／スライドシューとは反対の側において支持されている、またはこの側に、より大きな剛性を有している、またはローラ／スライドシューの上側に張設されている。蠕動ポンプのモータは、例えばローラ／スライドシューが作動する範囲の内側または外側にあってよい。
【００２０】
搾乳器の１つの有利な実施形態では、ポンプ装置が、乳汁容器内に負圧を生ぜしめることに適した真空ポンプを有している。これにより、特に省スペース式の配置が達成され得、これにより、搾乳器全体の所要の大きさがより小さくなる。好適には、真空ポンプと乳汁容器との間に取外し可能な接続手段が設けられている。この実施形態では、−フレキシブルな乳汁容器の場合に生じる可能性があるように−乳汁容器が真空ポンプにより過剰に縮められることがないように剛性で固いと有利である。
【００２１】
ポンプ装置が、搾乳器の乳汁案内部分、すなわち搾乳漏斗、チューブ部分もしくは乳汁容器から分離されていると有利である。このために１つの有利な実施形態では、ポンプ装置と各乳汁案内部分との間の接続部にポット形ダイヤフラムが設けられている。ポンプ装置が、好適にはフレキシブルなダイヤフラム、特にポット形ダイヤフラムを介して搾乳漏斗またはチューブ部分または乳汁容器に圧力接続された閉鎖空間と接続されていると有利であり、これにより、閉鎖空間内に負圧を周期的に発生させることで、搾乳漏斗もしくはチューブ部分もしくは乳汁容器内に（ひいては搾乳漏斗内に最終端部が接続された状態で）負圧を周期的に発生させることができるようになっている。これにより、乳汁の汚染もしくはポンプ装置への侵入が効果的に防がれる。
【００２２】
１つの好適な実施形態では、搾乳口および好適には
−ケーシングの、搾乳口および／またはチューブ部分またはチューブ部分の一部および／または乳汁容器を包囲する部分および／または
−乳汁蓄えユニットおよび／または
−乳汁容器および／または
−チューブ部分またはチューブ部分の一部
は、透明な材料を有しており、好適にはこれにより、乳汁の流れが電動搾乳器のユーザに見えるようになっているかもしくは特に搾乳漏斗の領域において、乳房に対する搾乳器の正しい当付けが容易になるようになっている。電動搾乳器のユーザにより、乳汁の流れを観察することが所望されている場合がある。これによりさらに、ユーザは既に吸引した乳汁の量をいつでも評価することができる。その上これにより、洗浄もしくは十分な洗浄の証明が簡略化され得る。これに相応して、搾乳器の、乳汁を吸引するための通常の作動モードでは、透明な材料は搾乳器の上側および／または裏側、すなわち搾乳漏斗とは反対の側に配置されており、これにより、搾乳器のユーザが見る方向に対応することができる。さらに、搾乳器の正しい位置をチェックすることもできる。
【００２３】
搾乳器の作動モードは、乳汁を吸引するために、搾乳口がユーザ（本開示では女性ユーザと同義的に用いる）の乳房と接触しているモードである。
【００２４】
１つの有利な実施形態では、電動搾乳器は、搾乳口を照明するために光源を有している。これにより特に、搾乳器の作動モード用の搾乳口の正しい位置決めが簡単になる。さらにこのことは、乳汁の流れに対するユーザの視界を改良し得る。
【００２５】
ポンプ装置が、制御回路と、好適にはユーザがポンプ装置を操作することができるようにユーザインタフェースとを有していると有利である。制御回路は、ポンプ装置を特に制御することができ、例えば様々なポンプパターンが実施され得る。ユーザインタフェースは、搾乳器のスイッチを入れかつ切るために、例えばユーザにより操作可能なボタンを有していてよい。１つのボタンにより、例えば異なる長さの押圧時間または複数回の連続的な押圧に基づき、例えば複数の機能が制御されてもよい。異なるモード等をセットするために、複数のボタンが設けられていてもよい。さらに、例えば充電状態、乳汁流量、セットされたモード等を表示するために、ユーザインタフェースは情報出力装置、例えばＬＥＤまたは（タッチ）スクリーンを有していてよい。ユーザインタフェースは、別の機器、例えばタブレット、スマートフォン、ＰＣ、サーバまたは遠隔制御手段との（無線）接続により構成されていてもよい。さらに、２つ以上の電動搾乳器がこの（無線）接続を介して同時に制御され得る、ということも可能であってよい。これは特に、両方の乳房を同時吸引する場合に役立つ。この接続を介して、２つの搾乳器を接続することも可能であってよい。
【００２６】
搾乳器は、電気的な接続部を有していてよい。電気的な接続部を用いて、設けられているエネルギ蓄え器に充電することができかつ／または直接ポンプ装置にエネルギを供給することができる。電気的な接続部は、無線式のエネルギ伝送の受信装置として構成されていてもよい。好適には、エネルギ蓄え器はリチウムイオン電池を有している。さらに、２つの搾乳器はケーブルを介して接続され得る、ということが想定されていてもよい。この場合、２つの搾乳器のうちの一方のみがエネルギ蓄え器および／または制御回路を有していてよく、他方の搾乳器は第１の搾乳器によりエネルギを供給されるもしくは制御され得る。２つの搾乳器もしくは互いに接続された２つの搾乳器のうちの１つは、それぞれ一方の乳房において同時に使用することを想定された２つの搾乳器のセットを行うベース装置に接続可能であってもよい。
【００２７】
有利には、ポンプ装置は水密に収納されており、この場合、好適にはケーシングが水密である。これにより、ポンプ装置もしくは搾乳器の損傷を防ぐことができると共に、洗浄が簡単になる。
【００２８】
乳汁容器が、フレキシブルな保存袋として形成されていると好適である。これにより乳汁容器は、吸引され供給された乳汁の体積と同様に広がることができるようになっている。乳汁容器内の容積をミルク用に解放するために、吸引された乳汁に並行して乳汁容器から流出せねばならない空気が、経路内に全くまたはあまり存在しない。
【００２９】
１つの好適な実施形態では、乳汁蓄えユニットは、固い剛性のカバーを有しており、カバー内に、好適にはフレキシブルな保存袋が収容されている、またはカバーは直接、乳汁容器として用いられる、またはカバー内に剛性の乳汁容器が収容されている。これにより特にフレキシブルな保存袋を収容する場合には、フレキシブルな保存袋を損傷から守ることができる。
【００３０】
乳汁容器として、哺乳瓶の瓶本体が設けられていると有利である。哺乳瓶の瓶本体は、好適には取外し可能であるため、吸引した乳汁を乳児に簡単に与えることができる。
【００３１】
搾乳漏斗の周が実質的に１つの平面内に位置しており、この場合、表面上での電動搾乳器の自立位置において平面は、搾乳漏斗が位置する側において表面と共に、６０°〜１１０°、特に好適には７５°〜１０５°の角度を形成していると有利である。これにより、搾乳器は使用中、特に扱いやすくなっている。それというのも、搾乳漏斗の向きが、通常の作動モードにおける搾乳器の人間工学的な保持に相応しているからである。
【００３２】
以下に、好適な実施形態を表すと共に保護範囲を限定するものではないと解釈されるべき図面に基づき、本発明を具体的に示す。
【図面の簡単な説明】
【００３３】
【図１】蠕動ポンプを備えた電動搾乳器の１つの実施形態を斜め前から見た図である。
【図２】図１に示したものと同じ実施形態を側方から見た図である。
【図３】蠕動ポンプを備えた電動搾乳器の１つの別の実施形態を斜め前から見た図である。
【図４】図３に示したものと同じ実施形態を側方から見た図である。
【図５】電動搾乳器の１つの実施形態において、真空ポンプが乳汁容器に接続されているところを斜め前から見た図である。
【図６】図５に示したものと同じ実施形態を側方から見た図である。
【図７】電動搾乳器の１つの実施形態において、真空ポンプがダイヤフラムを介して搾乳漏斗と圧力接続されているところを斜め前から見た図である。
【図８】図７に示したものと同じ実施形態を側方から見た図である。
【図９】電動搾乳器の１つの実施形態において、真空ポンプが三方接続手段を介してチューブ部分もしくは乳汁容器に接続されているところを斜め前から見た図である。
【図１０】図９に示したものと同じ実施形態を側方から見た図である。
【図１１】乳汁蓄えユニットが取外し可能な、蠕動ポンプを備えた電動搾乳器の１つの実施形態を側方から見た図である。
【図１２】図１１に示したものと同じ実施形態を、乳汁蓄えユニットが取り外された状態で斜め側方から見た図である。
【図１３】図１１に示したものと同じ実施形態を、乳汁蓄えユニットが取り外された状態で側方から見た図である。
【図１４】乳汁蓄えユニットが、哺乳瓶の瓶本体として形成されている、蠕動ポンプを備えた電動搾乳器の１つの実施形態を斜め側方から見た図である。
【図１５】図１４に示したものと同じ実施形態を側方から見た図である。
【図１６】図１４に示したものと同じ実施形態を、乳汁蓄えユニットが取り外された状態で斜め側方から見た図である。
【図１７】図１４に示したものと同じ実施形態を、乳汁蓄えユニットが取り外された状態で側方から見た図である。
【００３４】
図１には電動搾乳器１の１つの実施形態を斜め前から見た図が示されており、図２には同じ実施形態の横断面を側方から見た図が示されている。搾乳器１は、乳房を少なくとも部分的に受容する搾乳漏斗３を備えた搾乳口２を有している。さらに搾乳器１は、吸引した乳汁を収容する乳汁容器５を備えた乳汁蓄えユニット４を有している。搾乳口２は、チューブ部分６を有しており、チューブ部分６を介して搾乳漏斗３は乳汁容器５に取外し可能に接続されている。さらに搾乳器１は、モータ８、蠕動ポンプ９、エネルギ蓄え器１０および制御回路１１を備えたポンプ装置７を有している。この実施形態では、モータ８は蠕動ポンプ９の外側に位置している。モータ８により駆動される蠕動ポンプ９は、チューブ部分６に作用して、チューブ部分６を周期的に機械的に変形させ、これにより、運転モード中に乳汁／空気が、搾乳漏斗３から乳汁容器５へ周期的に圧送される。図２では、搾乳器は表面１２に自立した状態で示されている。
【００３５】
搾乳口２およびポンプ装置７は、一般的な真っ直ぐな筒の内側に位置しており、筒の基底面は、表面１２に対して平行な乳汁蓄えユニット４の最大横断面の１．８倍だけ広げられた面に相当しており、この場合、基底面の面中心点は、前記最大横断面の面の面中心点と同一であり、筒の高さは両方向に無限である。ポンプ装置７は、搾乳器１が表面１２に自立した状態で、表面１２に対して垂直な方向に関して搾乳漏斗３の中心点と、乳汁容器５の最上点との間に配置されている。モータ８およびエネルギ蓄え器１０は、自立状態では実質的に、表面１２に対して平行でありかつ表面１２からの高さが表面１２に対して平行な乳汁蓄えユニット４の最大延在長さの２．５倍に相当する平面の下側に配置されている。これら全ての特別な配置により、特に自立状態における搾乳器１の安定性も改良され得る。
【００３６】
電動搾乳器１は、搾乳器１の全ての構成部材を取り囲むケーシング１３を有しており、この場合、搾乳漏斗３は、ケーシング１３に開口を形成している。この場合、ケーシング１３は実質的に、（搾乳漏斗３を除いて）面一に形成されている。ケーシング１３は保持部分２０を有しており、保持部分２０は、実質的に楕円形の基底面を備える一般的な円錐台の周面の形状を実質的に有しており、この場合、円錐台の高さ輪郭線ｈは、搾乳漏斗３の周１５により画定された平面ｂと共に、約１５°の角度を形成している。高さ輪郭線ｈは、図２の右側に見られひいてはケーシング１３の、搾乳漏斗３とは反対の側に位置する、円錐台の母線に対して平行である。
【００３７】
図２では、チューブ部分６は乳汁容器５から取外し可能である、ということが看取され得る。乳汁蓄えユニット４は、面一のケーシング１３の一部である、固い剛性のカバーを有している。乳汁容器５は、この実施形態では特にフレキシブルな保存袋であってよい（この場合、乳汁容器５はここではその最大容積で示される）。チューブ部分６は、搾乳漏斗３と一体に形成されている。
【００３８】
搾乳器１は、実質的に平らな自立面１４を有しており、自立状態において搾乳器１は自立面１４で自立する。搾乳漏斗３の周１５は、表面１２上の搾乳器１の自立位置において、表面１２と約８０°の角度を形成する平面内に位置している。
【００３９】
蠕動ポンプ９の使用により、有利にはポンプ装置７が乳汁と接触する恐れはなくなる。ケーシング１３自体も、好適にはやはり水密に形成されている。
【００４０】
図３には、図１および図２に示したものと類似の搾乳器１の１つの実施形態を斜め前から見た図が示されており、図４には図３に示したものと同じ実施形態の横断面を側方から見た図が示されている。この場合、図１および図２に示した実施形態とは異なり、ポンプ装置７のモータ８は、蠕動ポンプ９のローラの内部に配置されている。
【００４１】
図５には電動搾乳器１の１つの実施形態を斜め前から見た図が示されており、図６には同じ実施形態の横断面を側方から見た図が示されている。この場合、ポンプ装置７は乳汁容器５と接続された真空ポンプ１６を有している。この場合、乳汁容器５は、有利には剛性で固い。
【００４２】
図７には電動搾乳器１の１つの実施形態を斜め前から見た図が示されており、図８には同じ実施形態の横断面を側方から見た図が示されている。この実施形態では、ポンプ装置７は閉鎖空間１７と接続された真空ポンプ１６を有しており、閉鎖空間１７は、フレキシブルなダイヤフラム１８、つまりポット形ダイヤフラムを介して搾乳漏斗３と圧力接続されている。つまり、真空ポンプ１６により閉鎖空間１７内に負圧が周期的に生ぜしめられることで、フレキシブルなダイヤフラム１８を周期的に動かすことができひいては搾乳漏斗３内に負圧を周期的に生ぜしめることができる。この実施形態でも図１〜図４に示した実施形態の場合と同様に、有利にはポンプ装置７が乳汁と接触することはない。さらに搾乳器１は、乳汁容器５をチューブ部分６に接続するダックビル弁１９を有している。つまり、吸出し時にチューブ部分６を含む搾乳口２内に負圧が形成され、これにより乳汁はダックビル弁１９上に集まる。十分な量の乳汁が集められるとすぐに、もしくは真空の周期的な低下により、ダックビル弁１９が開き、集められた乳汁は乳汁容器５内へ流れ落ちる。乳汁容器５は、フレキシブルな保存容器であってよい。
【００４３】
図９には電動搾乳器１の１つの実施形態を斜め前から見た図が示されており、図１０には同じ実施形態の横断面を側方から見た図が示されている。この実施形態では、ポンプ装置７は真空ポンプ８を有している。真空ポンプ８は三方接続手段と接続されており、三方接続手段もやはりチューブ部分６と、ダックビル弁１９を介して乳汁容器５とに接続されている。
【００４４】
図１１には、取外し可能な乳汁蓄えユニット４を備えた電動搾乳器１の１つの実施形態の横断面を側方から見た図が示されており、図１２には、図１１に示したものと同じ実施形態を、乳汁蓄えユニット４が取り外された状態で斜め側方から見た図が示されており、図１３には図１１と同じ図が、乳汁蓄えユニット４が取り外された状態で示されている。この実施形態は、図３および図４に示した実施形態と類似しており、この場合、図３および図４に示した実施形態とは異なり、この実施形態では、乳汁蓄えユニット４は乳汁容器５と共に、残りの搾乳器１から取外し可能である。図１１では、乳汁蓄えユニット４は残りの搾乳器１と結合されている。ケーシング１３は、乳汁蓄えユニット４の取付け状態では面一になっている。看取され得るように、乳汁蓄えユニット４は、残りのケーシング１３と接続されている。乳汁容器５もやはり取外し可能にチューブ部分３と接続されている。図１２および図１３では、乳汁蓄えユニット４は残りのケーシング１３から取り外されている。さらに乳汁容器５もやはり、乳汁蓄えユニット４から取り外されている。
【００４５】
図１４には、取外し可能な乳汁蓄えユニット４として哺乳瓶の瓶本体を備えた電動搾乳器１の１つの実施形態を斜め側方から見た図が示されており、図１５には同じ実施形態の横断面を側方から見た図が示されており、図１６および図１７には、図１４および図１５と同じ図が、乳汁蓄えユニット４が取り外された状態で示されている。この実施形態は、図３および図４に示した実施形態と類似しており、やはり蠕動ポンプ９が設けられている。ただしこの場合、図３および図４に示した実施形態とは異なり、乳汁蓄えユニット４として、取外し可能な哺乳瓶の瓶本体が設けられている。チューブ部分３が、瓶本体の開口と取外し可能に接続されている。この実施形態では、瓶本体が２つの部分から成っており、この場合、瓶本体の蓋も含む瓶本体の上部は、残りのケーシング１３とスナップ係合するスナップ装置を有している。さらにこの上部は、瓶本体の下部の雄ねじ山が螺入され得る雌ねじ山を有している。この実施形態では、瓶本体は自立面１４を有している。瓶本体は、ケーシング１３が瓶本体の取付け状態において面一になるように加工成形されている、ということも可能であり、この場合、瓶本体は取付け状態においてケーシング１３の一部を形成する。
【図１】
2021530297.tif 000003
【図２】
2021530297.tif 000004
【図３】
2021530297.tif 000005
【図４】
2021530297.tif 000006
【図５】
2021530297.tif 000007
【図６】
2021530297.tif 000008
【図７】
2021530297.tif 000009
【図８】
2021530297.tif 000010
【図９】
2021530297.tif 000011
【図１０】
2021530297.tif 000012
【図１１】
2021530297.tif 000013
【図１２】
2021530297.tif 000014
【図１３】
2021530297.tif 000015
【図１４】
2021530297.tif 000016
【図１５】
2021530297.tif 000017
【図１６】
2021530297.tif 000018
【図１７】
2021530297.tif 000019
【国際調査報告】
2021530297.tif 000020
2021530297.tif 000021
2021530297.tif 000022
2021530297.tif 000023